(57)【要約】【課題】複数の視聴制限規格により放送番組の視聴制限を行う放送受信機において、複数の視聴制限規格における視聴制限レベルの設定に伴うユーザの負担を低減させる。【解決手段】記憶手段（ＥＥＰＲＯＭ１３３等）は、複数の視聴制限規格におけるレイティングデータの夫々とレイティングレベルとを対応付けて記憶する第１設定テーブル１３３ａと、複数の視聴対象の夫々とレイティングレベルとを対応付けて記憶する第２設定テーブル１３３ｂとを備え、選択手段（選択プログラム１３４ｂ等）は視聴対象を選択することによりレイティングレベルを選択し、視聴制限手段（視聴制限プログラム１３４ｃ等）は選択手段により選択されたレイティングレベルと、放送番組データから抽出されたレイティングデータに第１設定テーブル１３３ａにおいて対応付けられるレイティングレベルと、に基づいて放送番組の視聴を制限する。【選択図】図１
2008005403.tif 000002
【特許請求の範囲】
【請求項１】
複数の視聴制限規格により、放送番組の視聴制限を行う放送受信機において、
前記複数の視聴制限規格におけるレイティングデータの夫々とレイティングレベルとを対応付けて記憶する第１設定テーブルと、複数の視聴対象の夫々とレイティングレベルとを対応付けて記憶する第２設定テーブルと、を備える記憶手段と、
前記視聴対象を選択するための選択画面を表示手段に表示させる表示制御手段と、前記表示手段に表示された前記選択画面において、一の視聴対象を選択するための入力手段と、を備え、前記レイティングレベルを選択する選択手段と、
前記選択手段により選択された前記視聴対象に前記第２設定テーブルにおいて対応付けられるレイティングレベルと、一の放送番組データから抽出されたレイティングデータに前記第１設定テーブルにおいて対応付けられるレイティングレベルと、に基づいて、前記一の放送番組の視聴を制限する視聴制限手段と、
前記視聴対象の夫々とレイティングレベルとを所定の時間帯別に対応付けて設定し、前記第２設定テーブルに登録する設定手段と、を備え、
前記表示制御手段は、前記視聴対象を選択するためのレベルメータを前記表示手段に表示させ、
前記入力手段は、前記レベルメータのレベル位置を移動させて前記視聴対象を選択することを特徴とする放送受信機。
【請求項２】
複数の視聴制限規格により、放送番組の視聴制限を行う放送受信機において、
前記複数の視聴制限規格におけるレイティングデータの夫々と、レイティングレベルとを対応付けて記憶する記憶手段と、
前記レイティングレベルを選択する選択手段と、
前記選択手段により選択されたレイティングレベルと、一の放送番組データから抽出されたレイティングデータに前記記憶手段において対応付けられるレイティングレベルと、に基づいて、前記一の放送番組の視聴を制限する視聴制限手段を備えることを特徴とする放送受信機。
【請求項３】
前記記憶手段は、
前記複数の視聴制限規格におけるレイティングデータの夫々とレイティングレベルとを対応付けて記憶する第１設定テーブルと、
複数の視聴対象の夫々とレイティングレベルとを対応付けて記憶する第２設定テーブルと、
を備え、
前記視聴対象の夫々にレイティングレベルを対応付けて設定して前記第２設定テーブルに登録する設定手段と、
を備えることを特徴とする請求項２に記載の放送受信機。
【請求項４】
前記設定手段は、
前記レイティングレベルを所定の時間帯別に設定可能であることを特徴とする請求項３に記載の放送受信機。
【請求項５】
前記選択手段は、
前記視聴対象を選択するための選択画面を表示手段に表示させる表示制御手段と、
前記表示手段に表示された前記選択画面において、一の視聴対象を選択するための入力手段と、
を備えることを特徴とする請求項３又は４に記載の放送受信機。
【発明の詳細な説明】
【技術分野】
【０００１】
本発明は、複数の視聴制限規格により、放送番組の視聴制限を行う放送受信機に関する。
【背景技術】
【０００２】
従来より、テレビジョン受像機等の放送受信機において、視聴者に有害な影響を与え得る放送番組の視聴を制限するための、種々のレイティングシステムが知られている。レイティングシステムでは、放送番組の内容、視聴者の年齢、或いはそれらの組み合わせ等により放送番組を格付けしたレイティングデータを、放送番組データに重畳して放送受信機に送信する。そして、受信側で、予め設定された視聴制限レベルと、放送番組データとともに受信したレイティングデータとに基づいて、放送番組の視聴を制限する。
【０００３】
例えば、特許文献１の視聴制限装置では、番組とともに伝送されたレートデータが視聴制限レベルより大きいか否かが判定され、レートデータが視聴制限レベルより大きいと判定された場合に、そのレートデータの番組を放送しているチャンネルのチャンネル情報を選局マップから削除することにより、視聴制限レベルを設定しておくだけで、番組の視聴制限を行うことができるようになっている。
さらに、例えば、特許文献２に開示されたペアレンタル・コントロール・システムにおける評価の制限を選択するための方法及び装置によれば、ユーザが許可またはブロックすることを望むことがある番組の具体的な例をユーザに提供することにより、評価の制限を設定する処理を簡潔にし、評価の抽象性によって生じる間違いを除去することができる。
また、例えば、特許文献３には、コンテンツのシーン単位にコンテンツの意味内容を加味したアクセス制御を行えるようにしたアクセス制御装置が開示されており、特許文献４には、アクセス最大レベルをスライダなど、コントロールを用いて容易に設定することができるペアレンタル・コントロールの技術が開示されている。
【特許文献１】特開２００４−１８７３２８号公報
【特許文献２】特表２００５−５１４８１８号公報
【特許文献３】特開２００５−３５４４９７号公報
【特許文献４】特開２００５−１１５９２８号公報
【発明の開示】
【発明が解決しようとする課題】
【０００４】
しかしながら、このようなレイティングシステムでは、放送国や、放送局、番組の種類等によって、複数の異なる視聴制限規格が採用されている。そのため、複数の視聴制限規格による視聴制限が可能な放送受信機では、各視聴制限規格における視聴制限レベルの設定をそれぞれ個別に行わなければならず、ユーザの負担が過大となるという問題があった。
【０００５】
図７を用いて、複数の視聴制限規格による視聴制限が可能な従来型の放送受信機における視聴制限レベルの設定方法について、より具体的に説明する。図７は、従来の放送受信機において、複数の視聴制限規格における視聴制限レベルの設定を行うための設定画面の例示であり、図７（ａ）は、ＭＰＡＡ（Motion Picture Association of America）Ｒａｔｉｎｇにおける視聴制限レベルの設定画面、図７（ｂ）はＴＶ  Ｐａｒｅｎｔａｌ  Ｇｕｉｄｅｌｉｎｅｓにおける視聴制限レベルの設定画面、図７（ｃ）はＣａｎａｄｉａｎ  Ｅｎｇｌｉｓｈ  Ｌａｎｇｕａｇｅ  Ｒａｔｉｎｇにおける視聴制限レベルと、Ｃａｎａｄｉａｎ  Ｆｒｅｎｃｈ  Ｌａｎｇｕａｇｅ  Ｒａｔｉｎｇにおける視聴制限レベルの設定画面である。図７（ａ）〜（ｃ）に示すように、複数の視聴制限規格により視聴制限を行うためには、視聴制限レベルを視聴制限規格毎に、それぞれ個別に設定する必要があった。
【０００６】
本発明の課題は、複数の視聴制限規格により放送番組の視聴制限を行う放送受信機において、複数の視聴制限規格における視聴制限レベルの設定に伴うユーザの負担を低減させることである。
【課題を解決するための手段】
【０００７】
上記課題を解決するため、請求項１に記載の発明は、複数の視聴制限規格により、放送番組の視聴制限を行う放送受信機において、
前記複数の視聴制限規格におけるレイティングデータの夫々とレイティングレベルとを対応付けて記憶する第１設定テーブルと、複数の視聴対象の夫々とレイティングレベルとを対応付けて記憶する第２設定テーブルと、を備える記憶手段と、
前記視聴対象を選択するための選択画面を表示手段に表示させる表示制御手段と、前記表示手段に表示された前記選択画面において、一の視聴対象を選択するための入力手段と、を備え、前記レイティングレベルを選択する選択手段と、
前記選択手段により選択された前記視聴対象に前記第２設定テーブルにおいて対応付けられるレイティングレベルと、一の放送番組データから抽出されたレイティングデータに前記第１設定テーブルにおいて対応付けられるレイティングレベルと、に基づいて、前記一の放送番組の視聴を制限する視聴制限手段と、
前記視聴対象の夫々とレイティングレベルとを所定の時間帯別に対応付けて設定し、前記第２設定テーブルに登録する設定手段と、を備え、
前記表示制御手段は、前記視聴対象を選択するためのレベルメータを前記表示手段に表示させ、
前記入力手段は、前記レベルメータのレベル位置を移動させて前記視聴対象を選択することを特徴とする。
【０００８】
請求項２に記載の発明は、複数の視聴制限規格により、放送番組の視聴制限を行う放送受信機において、
前記複数の視聴制限規格におけるレイティングデータの夫々と、レイティングレベルとを対応付けて記憶する記憶手段と、
前記レイティングレベルを選択する選択手段と、
前記選択手段により選択されたレイティングレベルと、一の放送番組データから抽出されたレイティングデータに前記記憶手段において対応付けられるレイティングレベルと、に基づいて、前記一の放送番組の視聴を制限する視聴制限手段を備えることを特徴とする。
【０００９】
請求項３に記載の発明は、請求項２に記載の放送受信機において、前記記憶手段は、
前記複数の視聴制限規格におけるレイティングデータの夫々とレイティングレベルとを対応付けて記憶する第１設定テーブルと、
複数の視聴対象の夫々とレイティングレベルとを対応付けて記憶する第２設定テーブルと、
を備え、
前記視聴対象の夫々にレイティングレベルを対応付けて設定して前記第２設定テーブルに登録する設定手段と、
を備えることを特徴とする。
【００１０】
請求項４に記載の発明は、請求項３に記載の放送受信機において、前記設定手段は、
前記レイティングレベルを所定の時間帯別に設定可能であることを特徴とする。
【００１１】
請求項５に記載の発明は、請求項３又は４に記載の放送受信機において、前記選択手段は、
前記視聴対象を選択するための選択画面を表示手段に表示させる表示制御手段と、
前記表示手段に表示された前記選択画面において、一の視聴対象を選択するための入力手段と、
を備えることを特徴とする。
【発明の効果】
【００１２】
請求項１に記載の発明によれば、記憶手段は、複数の視聴制限規格におけるレイティングデータの夫々とレイティングレベルとを対応付けて記憶する第１設定テーブルと、複数の視聴対象の夫々とレイティングレベルとを対応付けて記憶する第２設定テーブルと、を備え、選択手段は、表示制御手段により、視聴対象を選択するための選択画面を表示手段に表示させ、入力手段により、表示手段に表示された選択画面において、一の視聴対象を選択させることにより、レイティングレベルを選択し、視聴制限手段は、選択手段により選択された視聴対象に第２設定テーブルにおいて対応付けられるレイティングレベルと、一の放送番組データから抽出されたレイティングデータに第１設定テーブルにおいて対応付けられるレイティングレベルと、に基づいて、一の放送番組の視聴を制限し、設定手段は、視聴対象の夫々とレイティングレベルとを所定の時間帯別に対応付けて設定し、第２設定テーブルに登録する。
従って、複数の視聴制限規格における視聴制限レベルを個別に設定する代わりに視聴対象を選択することにより一括して設定できることとなって、複数の視聴制限規格における視聴制限レベルの設定に伴うユーザの負担を低減させることができる。
また、設定手段は、レイティングレベルを時間帯別に設定可能であるので、時間帯毎に視聴制限を行う放送番組を可変に設定できることとなって、個々のユーザにとって使い勝手の良い放送受信機を提供することができる。
また、表示制御手段は、視聴対象を選択するためのレベルメータを表示手段に表示させ、入力手段は、レベルメータのレベル位置を移動させて視聴対象を選択するので、設定操作を容易に行えることとなって、操作性の向上を図ることができる。
【００１３】
請求項２に記載の発明によれば、複数の視聴制限規格により、放送番組の視聴制限を行う放送受信機において、記憶手段は、複数の視聴制限規格におけるレイティングデータの夫々と、レイティングレベルとを対応付けて記憶し、選択手段は、レイティングレベルを選択し、視聴制限手段は、選択手段により選択されたレイティングレベルと、一の放送番組データから抽出されたレイティングデータに記憶手段において対応付けられるレイティングレベルと、に基づいて、一の放送番組の視聴を制限する。
従って、複数の視聴制限規格における視聴制限レベルを個別に設定する代わりにレイティングレベルを選択することにより一括して設定できることとなって、複数の視聴制限規格における視聴制限レベルの設定に伴うユーザの負担を低減させることができる。
【００１４】
請求項３に記載の発明によれば、請求項２に記載の発明の効果が得られるのは無論のこと、記憶手段は、複数の視聴制限規格におけるレイティングデータの夫々とレイティングレベルとを対応付けて記憶する第１設定テーブルと、複数の視聴対象の夫々とレイティングレベルとを対応付けて記憶する第２設定テーブルと、を備え、設定手段は、視聴対象の夫々にレイティングレベルを対応付けて設定して第２設定テーブルに登録するので、個々のユーザにとって使い勝手の良い放送受信機を提供することができる。
【００１５】
請求項４に記載の発明によれば、請求項３に記載の発明の効果が得られるのは無論のこと、設定手段は、レイティングレベルを所定の時間帯別に設定可能であるので、時間帯毎に視聴制限を行う放送番組を可変に設定できることとなって、設定の変更に伴うユーザの負担をより低減させることができる。
【００１６】
請求項５に記載の発明によれば、請求項３又は４に記載の発明の効果が得られるのは無論のこと、表示制御手段は、視聴対象を選択するための選択画面を表示手段に表示させ、入力手段は、表示手段に表示された選択画面において、一の視聴対象を選択する。従って、設定操作を容易に行えることとなって、操作性の向上を図ることができる。
【発明を実施するための最良の形態】
【００１７】
以下、図面を参照して、本発明を実施するための最良の形態を詳細に説明する。なお、発明の範囲は、図示例に限定されない。
本実施形態では、放送受信機として、テレビジョン放送番組の視聴を行うテレビジョン受像機について説明する。
【００１８】
図１は、本実施形態におけるテレビジョン受像機１００の要部構成を例示するブロック図である。
本実施形態のテレビジョン受像機１００は、複数の視聴制限規格に基づいて放送番組の視聴制限を行うことができる。ここでは、例えば、ＭＰＡＡ（Motion Picture Association of America）Ｒａｔｉｎｇ、ＴＶ  Ｐａｒｅｎｔａｌ  Ｇｕｉｄｅｌｉｎｅｓ、Ｃａｎａｄｉａｎ  Ｅｎｇｌｉｓｈ  Ｌａｎｇｕａｇｅ  Ｒａｔｉｎｇ、Ｃａｎａｄｉａｎ  Ｆｒｅｎｃｈ  Ｌａｎｇｕａｇｅ  Ｒａｔｉｎｇ、の４つの視聴制限規格により視聴制限を行うものとする。
【００１９】
ここで、これらの視聴制限規格に基づく視聴制限について具体的に説明する。
放送番組の送信側では、各放送番組データに、レイティングデータを重畳して送信している。これらのレイティングデータは、ＭＰＡＡ  Ｒａｔｉｎｇ、ＴＶ  Ｐａｒｅｎｔａｌ  Ｇｕｉｄｅｌｉｎｅｓ、Ｃａｎａｄｉａｎ  Ｅｎｇｌｉｓｈ  Ｌａｎｇｕａｇｅ  Ｒａｔｉｎｇ、Ｃａｎａｄｉａｎ  Ｆｒｅｎｃｈ  Ｌａｎｇｕａｇｅ  Ｒａｔｉｎｇのそれぞれの視聴制限規格毎に策定されたものである。
例えば、視聴制限規格の一つであるＭＰＡＡの視聴制限規格は、ＮＣ−１７の古い制限であるＸ（17歳未満は禁止）、ＮＣ−１７（17歳未満は禁止）、Ｒ（17歳未満は保護者の同伴が必要）、ＰＧ−１３（13歳未満の子どもは保護者の指導が望まれる）、ＰＧ（保護者の指導が望ましい）、Ｇ（一般向け）、ＮＲ（Not Rated; 制限無し）のレイティングデータを放送番組データに付加する。
また、ＴＶ  Ｐａｒｅｎｔａｌ  Ｇｕｉｄｅｌｉｎｅｓの視聴制限規格は、ＴＶ−ＭＡ（ 成人向け番組）、ＴＶ−１４（親に強く警告。14歳未満の子どもに好ましくない番組）、ＴＶ−ＰＧ（親の指導が進められるべき番組）、ＴＶ−Ｇ（一般視聴者向け番組）、ＴＶ−Ｙ７（7歳以上の子ども向け番組）、ＴＶ−Ｙ（全ての子ども向け番組）、ＮＲ（Not Rated; 制限なし）のレイティングデータを放送番組データに付加する。
また、Ｃａｎａｄｉａｎ  Ｅｎｇｌｉｓｈ  Ｌａｎｇｕａｇｅ  Ｒａｔｉｎｇの視聴制限規格は、１８＋（18歳以上向け番組）、１４＋（14歳以上向け番組）、ＰＧ（親の指導が進められるべき番組）、Ｇ（一般視聴者向け番組）、Ｃ８＋（8歳以上のこども向け番組）、Ｃ（8歳未満の子ども向け番組）、Ｅ（Exempt; 免除）のレイティングデータを放送番組データに付加する。
さらに、Ｃａｎａｄｉａｎ  Ｆｒｅｎｃｈ  Ｌａｎｇｕａｇｅ  Ｒａｔｉｎｇの視聴制限規格は、１８ans＋（18歳以上向け番組）、１６ans＋（16歳以上向け番組）、１３ans＋（13歳以上向け番組）、８ans＋（8歳以上の子ども向け番組）、Ｇ（一般視聴者向け番組）、Ｅ（Exempt; 免除）のレイティングデータを放送番組データに付加する。
【００２０】
受信側では、各視聴制限規格における視聴制限レベル、すなわち、何れのレイティングデータが付加された放送番組の視聴を制限するかを示すレイティングレベル、の設定データを有しており、放送番組データに重畳されているレイティングデータを受信すると、当該レイティングデータと設定データとの比較に基づいて、所定のレイティングデータが付された放送番組の視聴を制限する。
本実施形態におけるテレビジョン受像機１００では、複数の視聴制限規格におけるレイティングデータの夫々にレイティングレベルを対応させた第１設定テーブル１３３ａと、視聴対象毎にレイティングレベルを対応させた第２設定テーブル１３３ｂとを記憶している。そして、ユーザにより選択された視聴対象に基づいて、当該第１設定テーブル１３３ａ及び第２設定テーブル１３３ｂを参照し、視聴制限の要否を判断する。この構成により、各視聴制限規格における視聴制限レベルを夫々個別に設定することなく、一の視聴対象を選択するだけで、複数の視聴制限規格に基づく視聴制限を行えることとなる。
【００２１】
次に、本実施形態におけるテレビジョン受像機１００の要部構成を、図１を参照しながら説明する。
【００２２】
本テレビジョン受像機１００は、ユーザが遠隔操作によって各種指示を入力するための入力手段としてのキー入力部１と、放送信号を受信するアンテナ２と、アンテナ２により受信された放送信号から所定のチャンネルの放送信号を選局するチューナ３と、チューナ３により選局された放送信号を復調する復調部４と、復調部４により復調された放送信号を分離するＴＳデコーダ５と、ＴＳデコーダ５により分離された放送信号を復号するビデオデコーダ６ａ及びオーディオデコーダ６ｂと、ビデオデコーダ６ａにより復号された映像信号に対して所定の処理を行う映像処理部７と、オーディオデコーダ６ｂにより復号された音声信号に対して所定の処理を行う音声処理部８と、映像処理部７により処理された映像信号にＯＳＤデータを付加するＯＳＤ回路９と、映像処理部７及び音声処理部８から出力される映像・音声信号をミュートする視聴制限手段としてのミュート回路１０と、映像処理部７により処理された映像信号を出力する表示手段としての表示部１１と、音声処理部８により処理された音声信号を出力する音声出力部１２と、テレビジョン受像機１００全体を統括制御する制御部１３と、を備えており、各部はバス１４により接続されている。
【００２３】
キー入力部１は、例えば、リモートコントローラ（以下、リモコン）等であり、複数のキーを備えている。当該キー入力部１において、ユーザによりキーが押下されると、キー操作に対応する入力操作信号が制御部１３に対して出力される。
【００２４】
アンテナ２は、例えば、屋外において所定の方向に向けて配置され、図示しないテレビジョン放送局等から発信される高周波（RF）のテレビジョン放送信号（RF信号）を受信する。
チューナ３は、例えば、図示は省略するが、高周波増幅回路と、局部発振回路及び混合回路から成る周波数変換回路と、を備えて構成されており、アンテナ２等により入力されたテレビジョン放送信号を、高周波増幅回路において増幅し、混合回路において局部発振回路から出力される局部発振信号と混合する。さらに、特定の周波数を選局するための制御部１３からの制御出力に応じて、特定周波数帯の中間周波信号（IF信号）を受信し、当該中間周波信号に所定の処理を行って復調部４に出力する。
【００２５】
復調部４は、例えば、制御部１３からの指示に従って、チューナ３から出力された中間周波信号に対してデジタル復調や誤り訂正などの処理を実行し、トランスポートストリーム（TS）を生成して、ＴＳデコーダ５に出力する。
ＴＳデコーダ５は、復調部４から入力されたトランスポートストリームを、ＭＰＥＧ２（Moving Picture Experts Group 2）規格下のビデオストリーム、オーディオストリーム及びＰＳＩ／ＳＩ（Program Specific Information/Service Information）等の情報データに分離するとともに、当該ビデオストリームをビデオデコーダ６ａに、オーディオストリームをオーディオデコーダ６ｂに出力し、さらに、ＰＳＩ／ＳＩ等の情報データを制御部１３に供給する。
【００２６】
当該情報データは、例えば、パケット識別子等を格納したＰＭＴ（Program Map Table）や、サービス情報等を格納したＥＩＴ（Event Information Table）等から成り、レイティングデータは当該情報データに含まれている。制御部１３は、これらの情報データに含まれるレイティングデータを抽出し、放送番組の視聴制限を行うか否かの判別に際して、当該レイティングデータを参照する。
【００２７】
ビデオデコーダ６ａは、ＴＳデコーダ５から入力されたビデオストリームを復号し、逆ＤＣＴ変換や動き補償制御等を行い、映像データを生成して映像処理部７に出力する。また、オーディオデコーダ６ｂは、ＴＳデコーダ５から入力されたオーディオストリームを復号し、音声データを生成して音声処理部８に出力する。
映像処理部７は、ビデオデコーダ６ａから入力された映像データに対して、Ｄ／Ａ変換等の各種処理を施し、映像信号を生成する。また、音声処理部８は、オーディオデコーダ６ｂから入力された音声データに対して、Ｄ／Ａ変換等の各種処理を施し、音声信号を生成する。生成された映像信号は表示部１１に出力され、音声信号は音声出力部１２に出力される。
ＯＳＤ回路９は、制御部１３からの指示出力に応じて、ＲＯＭ１３４に格納された図示しないＯＳＤデータを映像処理部７から出力された映像信号に合成する処理を行う。
【００２８】
ミュート回路１０は、後述する視聴制限プログラム１３４ｃの実行において、ＣＰＵ１３１からの制御信号に基づいて、映像処理部７から出力される映像信号及び音声処理部８から出力される音声信号に対して所定のミュート処理を行い、放送番組の視聴を不可能とする。
【００２９】
表示部１１は、例えば、ＬＣＤ（Liquid Crystal Display）、ＰＤＰ（Plasma Display Panel）等のディスプレイ１１ａを備え、映像処理部７から入力された映像信号に基づく映像を当該ディスプレイ１１ａに表示させる。
音声出力部１２、例えば、スピーカ１２ａ等を備え、音声処理部８から入力された音声信号に基づく音声を当該スピーカ１２ａにより出力させる。
【００３０】
制御部１３は、ＣＰＵ（Central Processing Unit）１３１、ＲＡＭ（Random Access Memory）１３２、記憶手段としてのＥＥＰＲＯＭ（Electronically Erasable and Programmable Read Only Memory）１３３、ＲＯＭ（Read Only Memory）１３４等を備えて構成されている。
【００３１】
ＣＰＵ１３１は、テレビジョン受像機１００の各部から入力された入力信号に応じて、ＲＯＭ１３４に格納された各種プログラムを実行するとともに、実行にかかるプログラムに基づく出力信号を各部に出力することにより、テレビジョン受像機１００の動作全般を統括制御する。
【００３２】
ＲＡＭ１３２は、ＣＰＵ１３１のワークエリアとして用いられ、ＣＰＵ１３１によって各種プログラムが実行される際に生じる処理結果や、入力されたデータ等を一時的に記憶する。
【００３３】
ＥＥＰＲＯＭ１３３は、例えば、書き換え可能な半導体メモリであり、第１設定テーブル１３３ａと、第２設定テーブル１３３ｂと、レイティングレベル設定データ１３３ｃと、を記憶している。
なお、図示は省略するものの、ＥＥＰＲＯＭ１３３は、これらのデータの初期設定値データを別領域に記憶している。
【００３４】
第１設定テーブル１３３ａは、例えば、第２設定テーブル１３３ｂと関連付けて用いられ、複数の視聴制限規格におけるレイティングデータの夫々と、レイティングレベルとを対応付けて記憶する。当該第１設定テーブル１３３ａにおいて、複数の視聴制限規格における各レイティングデータに、一のレイティングレベルが割り当てられることで、複数の視聴制限規格毎にそれぞれ異なるレイティングデータが、１種類のレイティングデータとして統合されることとなる。
ここで、このレイティングレベルは、例えば、「１」〜「５」の数値データであり、最も高い（制限が厳しい）レイティングレベルが「５」、最も低い（制限が緩い）レイティングレベルが「１」とされる。
図２は、第１設定テーブル１３３ａを例示する図である。図２に示すように、第１設定テーブル１３３ａは、ＭＰＡＡ  Ｒａｔｉｎｇ、ＴＶ  Ｐａｒｅｎｔａｌ  Ｇｕｉｄｅｌｉｎｅｓ、Ｃａｎａｄｉａｎ  Ｅｎｇｌｉｓｈ  Ｌａｎｇｕａｇｅ  Ｒａｔｉｎｇ、Ｃａｎａｄｉａｎ  Ｆｒｅｎｃｈ  Ｌａｎｇｕａｇｅ  Ｒａｔｉｎｇの各視聴制限規格におけるレイティングデータのそれぞれに、「１」〜「５」のレイティングレベルを割り当てている。例えば、ＭＰＡＡのレイティングデータのうち、Ｘ及びＮＣ−１７には「１」、Ｒ及びＰＧ−１３には「２」、ＰＧには「３」、Ｇには「４」、ＮＲには「５」を割り当てている。また、ＴＶ  Ｐａｒｅｎｔａｌ  Ｇｕｉｄｅｌｉｎｅｓのレイティングデータのうち、ＴＶ−ＭＡには「１」、ＴＶ−１４には「２」、ＴＶ−ＰＧ及びＴＶ−Ｙ７には「３」、ＴＶ−Ｇ及びＴＶ−Ｙには「４」、ＮＲには「５」を割り当てている。また、説明は省略するが、同様に、Ｃａｎａｄｉａｎ  Ｅｎｇｌｉｓｈ  Ｌａｎｇｕａｇｅ  Ｒａｔｉｎｇ及びＣａｎａｄｉａｎ  Ｆｒｅｎｃｈ  Ｌａｎｇｕａｇｅ  Ｒａｔｉｎｇにおけるレイティングデータの各々にもレイティングレベルを割り当てている。
【００３５】
第２設定テーブル１３３ｂは、例えば、第１設定テーブル１３３ａと関連付けて用いられ、複数の視聴対象と、レイティングレベルとを対応付けて記憶する。さらに、当該第２設定テーブル１３３ｂは、各視聴対象に、レイティングレベルを時間帯別に割り当てられるようになっている。
図３は、第２設定テーブル１３３ｂを例示する図である。図３に示すように、第２設定テーブル１３３ｂは、Ｖ−Ｃｈｉｐオフと、Ａｄｕｌｔ（大人）、Ｙｏｕｔｈ（青年）、Ｃｈｉｌｄ（子ども）の３つの視聴対象のそれぞれに、「０」〜「５」のレイティングレベルを、昼と夜の時間帯別に対応付けている。
当該第２設定テーブル１３３ｂは、後述する設定プログラム１３４ａの実行において、ユーザにより各視聴対象のそれぞれにレイティングレベルを対応付けて設定する操作が行われると、当該設定操作に基づいてデータを更新して、設定されたレイティングレベルを登録する。
【００３６】
レイティングレベル設定データ１３３ｃは、後述する選択プログラム１３４ｂの実行において、表示部１１に表示されるレイティングレベル設定画面において、ユーザにより選択された視聴対象を記憶するデータであり、例えば、Ａｄｕｌｔ、Ｙｏｕｔｈ、Ｃｈｉｌｄの視聴対象のうち、選択された一の視聴対象或いは「Ｖ−Ｃｈｉｐオフ」を記憶している。
【００３７】
ＲＯＭ１３４は、ＣＰＵ１３１によって実行される各種データ処理プログラムの他、データ処理プログラムに係る各種初期設定値等を格納する。ＲＯＭ１３４には、例えば、設定プログラム１３４ａと、選択プログラム１３４ｂと、視聴制限プログラム１３４ｃと、等のプログラムが格納されている。
【００３８】
設定プログラム１３４ａは、例えば、ＣＰＵ１３１に、視聴対象の夫々とレイティングレベルとを所定の時間帯別に対応付けて設定し、第２設定テーブル１３３ｂに登録する機能を実現させるためのプログラムである。
具体的には、ＣＰＵ１３１は、キー入力部１において、ユーザにより、第２設定テーブル１３３ｂの設定変更を要求するキー操作が行われると、視聴対象と、レイティングレベルとの対応関係を示す第２設定テーブル１３３ｂをＥＥＰＲＯＭ１３３から読み出し、読み出した第２設定テーブル１３３ｂに基づく第２設定テーブル設定画面を生成して、表示部１１のディスプレイ１１ａに表示させる。
図４は、当該設定プログラム１３４ａの実行に際して、表示部１１に表示される第２設定テーブル設定画面を例示する図である。図４に示すように、第２設定テーブル設定画面では、ＥＥＰＲＯＭ１３３から読み出した第２設定テーブル１３３ｂにおけるＡｄｕｌｔ、Ｙｏｕｔｈ、Ｃｈｉｌｄの視聴対象の夫々に、「１」〜「５」のレイティングレベルを時間帯別に対応付けられるようになっている。ＣＰＵ１３１は、当該第２設定テーブル設定画面において、ユーザのキー入力部１の操作により登録されたデータに基づいて、ＥＥＰＲＯＭ１３３の第２設定テーブル１３３ｂを更新する。なお、第２設定テーブル１３３ｂにおけるＶ−Ｃｈｉｐオフの項目に割り当てられた「０」は固定値であり、当該第２設定テーブル設定画面では、Ｖ−Ｃｈｉｐオフにレイティングレベルを対応付けて設定することはできないようになっている。
ＣＰＵ１３１は、かかる視聴制限情報設定プログラム１３４ａを実行することにより、設定手段として機能する。
【００３９】
選択プログラム１３４ｂは、例えば、ＣＰＵ１３１に、視聴対象を選択するためのレイティングレベル選択画面（選択画面）を表示部１１に表示させ、当該レイティングレベル選択画面において、キー入力部１における操作に基づいて一の視聴対象を選択することにより、レイティングレベルを選択する機能を実現させるためのプログラムである。
具体的には、ＣＰＵ１３１は、キー入力部１において、ユーザにより、レイティングレベルの選択を要求するキー操作が行われると、レイティングレベルを選択するためのレイティングレベル選択画面を表示部１１のディスプレイ１１ａに表示させる。
図５は、当該選択プログラム１３４ｂの実行に際して、表示部１１に表示されるレイティングレベル選択画面を例示する図である。図５（ａ）に示すように、レイティングレベル選択画面では、レベルメータが表示され、当該レベルメータのレベル位置をキー入力部１の操作により移動させて、Ａｄｕｌｔ、Ｙｏｕｔｈ、Ｃｈｉｌｄの中から、一の視聴対象を選択する。当該レイティングレベル選択画面ではＶ−Ｃｈｉｐオフの選択も可能であり、レベルメータのレベル位置を左から右に移動させると、Ｖ−Ｃｈｉｐオフ→Ａｄｕｌｔ→Ｙｏｕｔｈ→Ｃｈｉｌｄの項目が順に選択される。なお、当該レイティングレベル選択画面は、図５（ａ）に示すレベルメータが表示されるものに限られず、例えば、図５（ｂ）に示すように、視聴対象を直接選択するレイティングレベル選択画面等であっても良い。
ＣＰＵ１３１は、当該レイティングレベル設定画面において、ユーザのキー入力部１の操作により選択された視聴対象を、ＥＥＰＲＯＭ１３３のレイティングレベル設定データ１３３ｃに格納する。そして、後述する視聴制限プログラム１３４ｃにおいて、レイティングレベル設定データ１３３ｃに記憶された視聴対象に第２設定テーブル１３３ｂにおいて対応付けられたレイティングレベルに基づいて、視聴制限の要否が判断されることとなる。
ＣＰＵ１３１は、かかる選択プログラム１３４ｂを実行することにより、表示制御手段及び選択手段として機能する。
【００４０】
視聴制限プログラム１３４ｃは、例えば、ＣＰＵ１３１に、選択プログラム１３４ｂの実行により選択された視聴対象に第２設定テーブル１３３ｂにおいて対応づけられるレイティングレベルと、一の放送番組データから抽出されたレイティングデータに第１設定テーブル１３３ａにおいて対応付けられるレイティングレベルと、に基づいて、当該一の放送番組の視聴を制限する機能を実現させるためのプログラムである。
具体的には、ＣＰＵ１３１は、放送番組データを受信すると、チューナ３、復調部４等において前述の処理を施し、ＴＳデコーダ５において情報データを分離し、分離された情報データからレイティングデータを抽出する。ＣＰＵ１３１は、第１設定テーブル１３３ａ（図２参照）を参照して、放送番組データから抽出したレイティングデータに対応付けられているレイティングレベルを読み出す。また、選択プログラム１３４ｂの実行によりユーザにより選択されてＥＥＰＲＯＭ１３３のレイティングレベル設定データ１３３ｃに記憶された視聴対象を読み出すと、第２設定テーブル１３３ｂ（図３参照）を参照して、レイティングレベル設定データ１３３ｃに記憶された視聴対象に対応付けられているレイティングレベルを読み出す。このとき、ＣＰＵ１３１は、放送番組データに重畳された現在時刻データ或いは図示しない計時部において計時された現在時刻データを取得し、取得した現在時刻データに基づいて、現在の時間帯が昼の時間帯（例えば、ＡＭ５時〜ＰＭ５時）であるか、或いは、夜の時間帯（例えば、ＰＭ５時〜ＡＭ５時）であるかを判断し、視聴対象に対応付けられた現在の時間帯におけるレイティングレベルを第２設定テーブル１３３ｂから読み出す。
そして、ＣＰＵ１３１は、放送番組データから抽出されたレイティングデータに第１設定テーブル１３３ａにおいて対応付けられるレイティングレベル（以下、「放送番組データから抽出されたレイティングデータに対応付けられたレイティングレベル」）と、ユーザにより選択された視聴対象に第２設定テーブル１３３ｂにおいて対応づけられるレイティングレベル（以下、「ユーザにより選択されたレイティングレベル」とする。）と、を比較し、放送番組データから抽出されたレイティングデータに対応付けられたレイティングレベルが、ユーザにより選択されたレイティングレベルより低いと判断すると、ミュート回路１０に制御信号を出力して、所定のミュート処理を行うことにより、放送番組データをブロックする。一方、ＣＰＵ１３１は、放送番組データから抽出されたレイティングデータに対応付けられたレイティングレベルが、ユーザにより選択されたレイティングレベル以上であると判断すると、ミュート処理を行うことなく、放送番組データに基づく映像・音声を出力させる。
ＣＰＵ１３１は、かかる視聴制限プログラム１３４ｃを実行することにより、ミュート回路１０とともに視聴制限手段として機能する。
【００４１】
当該視聴制限プログラム１３４ｃについて、より詳細に説明する。ここでは、図３に例示した第２設定テーブル１３３ｂに基づいて説明を行うこととする。
例えば、選択プログラム１３４ｂの実行に基づくレイティングレベル選択画面において、ユーザによりＶ−Ｃｈｉｐオフが選択され、当該Ｖ−Ｃｈｉｐオフに第２設定テーブル１３３ｂにおいて対応付けられたレイティングレベルが「０」である場合、放送番組データから抽出されたレイティングデータに対応付けられたレイティングレベルは、必然的にユーザにより選択されたレイティングレベル以上となるため、視聴制限が行われることなく、全ての放送番組が視聴可能となる。
また、レイティングレベル選択画面において、ユーザによりＡｄｕｌｔが選択され、当該Ａｄｕｌｔに第２設定テーブル１３３ｂにおいて対応付けられたレイティングレベルが「１」（又は夜の時間帯の場合は「２」）である場合、放送番組データからレイティングデータが抽出されない場合（或いは抽出されたレイティングデータに対応付けられたレイティングレベルが「１」である場合）に視聴制限が行われ、抽出されたレイティングデータに対応付けられたレイティングレベルが「１」以上（又は夜の時間帯の場合は「２」以上）である場合に視聴が可能となる。
また、レイティングレベル選択画面において、ユーザによりＹｏｕｔｈが選択され、当該Ｙｏｕｔｈに第２設定テーブル１３３ｂにおいて対応付けられたレイティングレベルが「３」（又は夜の時間帯の場合は「４」）である場合、放送番組データから抽出されたレイティングデータに対応付けられたレイティングレベルが「２」以下（又は夜の時間帯の場合は「３」以下）である場合に視聴制限が行われ、放送番組データから抽出されたレイティングデータに対応付けられたレイティングレベルが「３」以上（又は夜の時間帯の場合は「４」以上）である場合に視聴が可能となる。
また、レイティングレベル選択画面において、ユーザによりＣｈｉｌｄが選択され、当該Ｃｈｉｌｄに第２設定テーブル１３３ｂにおいて対応付けられたレイティングレベルが「４」（又は夜の時間帯の場合は「５」）である場合、放送番組データから抽出されたレイティングデータに対応付けられたレイティングレベルが「３」以下（又は夜の時間帯の場合は「４」以下）である場合に場合に視聴制限が行われ、放送番組データから抽出されたレイティングデータに対応付けられたレイティングレベルが「４」以上（又は夜の時間帯の場合は「５」以上）である場合に視聴が可能となる。
【００４２】
すなわち、例えば、レイティングレベル選択画面において、ユーザにより選択された視聴対象がＹｏｕｔｈであり、昼の時間帯の放送番組データから抽出されたレイティングデータがＭＰＡＡ  Ｒａｔｉｎｇの「Ｒ」である場合には、Ｙｏｕｔｈに第２設定テーブル１３３ｂにおいて対応付けられたレイティングレベルは「３」であり、「Ｒ」に第１設定テーブル１３３ａにおいて対応付けられたレイティングレベルは「２」であるため、放送番組データから抽出されたレイティングデータに対応付けられたレイティングレベル（「２」）は、ユーザにより選択されたレイティングレベル（「３」）より低いこととなって、放送番組の視聴制限が行われることとなる。
【００４３】
次に、視聴制限プログラム１３４ｃの実行に基づくＣＰＵ１３１の視聴制限処理について、図６のフローチャートを参照しながら説明する。
【００４４】
ＣＰＵ１３１は、ステップＳ１において、放送番組データを受信すると、ステップＳ２において、受信した放送番組データからレイティングデータを抽出する。さらに、ＣＰＵ１３１は、第１設定テーブル１３３ａを参照して、放送番組データから抽出したレイティングデータに対応付けられているレイティングレベルを読み出し、読み出したレイティングレベルを一時的にＲＡＭ１３２に記憶する（ステップＳ３）。次に、ＣＰＵ１３１は、ＥＥＰＲＯＭ１３３のレイティングレベル設定データ１３３ｃに記憶された視聴対象を読み出して（ステップＳ４）、放送番組データ或いは図示しない計時部から現在時刻データを取得して、現在時刻データに基づいて、現在の時間帯が昼であるか或いは夜であるかを判断する（ステップＳ５）。次に、ＣＰＵ１３１は、第２設定テーブル１３３ｂを参照し、レイティングレベル設定データ１３３ｃに記憶された視聴対象に対応付けられている現在の時間帯におけるレイティングレベルを読み出し、読み出したレイティングレベルを一時的にＲＡＭ１３２に記憶する（ステップＳ６）。さらに、ＣＰＵ１３１は、放送番組データから抽出されたレイティングデータに対応付けられたレイティングレベルと、ユーザにより選択されたレイティングレベルと、を比較して、放送番組データから抽出されたレイティングデータに対応付けられたレイティングレベルが、ユーザにより選択されたレイティングレベルより低いか否かを判断する（ステップＳ７）。ＣＰＵ１３１は、ステップＳ７において、放送番組データから抽出されたレイティングデータに対応付けられたレイティングレベルが、ユーザにより選択されたレイティングレベルより低いと判断すると（ステップＳ７；Ｙｅｓ）、ミュート回路１０に制御信号を出力して、所定のミュート処理を行うことにより、放送番組データをミュートし（ステップＳ８）、ＯＳＤ回路９により所定のＯＳＤデータを付加することにより、当該放送番組がブロックされている旨をユーザに報知するＯＳＤ表示を行う。一方、ＣＰＵ１３１は、ステップＳ７において、放送番組データから抽出されたレイティングデータに対応付けられたレイティングレベルが、ユーザにより選択されたレイティングレベル以上であると判断すると（ステップＳ７；Ｎｏ）、ミュート処理を行うことなく、放送番組データに基づく映像・音声を出力させる（ステップＳ９）。
【００４５】
以上説明した本発明にかかるテレビジョン受像機１００によれば、ＥＥＰＲＯＭ１３３により、複数の視聴制限規格におけるレイティングデータの夫々とレイティングレベルとを対応付けて記憶する第１設定テーブル１３３ａと、複数の視聴対象の夫々とレイティングレベルとを対応付けて記憶する第２設定テーブル１３３ｂと、が記憶され、ＣＰＵ１３１による選択プログラム１３４ｂの実行により、視聴対象を選択するための選択画面が表示部１１に表示され、キー入力部１におけるキー操作により、表示部１１に表示された選択画面において、一の視聴対象が選択されることにより、レイティングレベルが選択される。また、ＣＰＵ１３１による視聴制限プログラム１３４ｃの実行により、選択プログラム１３４ｂの実行により選択された視聴対象に第２設定テーブル１３３ｂにおいて対応付けられるレイティングレベルと、一の放送番組データから抽出されたレイティングデータに第１設定テーブル１３３ａにおいて対応付けられるレイティングレベルと、に基づいて、一の放送番組の視聴が制限される。さらに、ＣＰＵ１３１による設定プログラム１３４ａの実行により、視聴対象の夫々とレイティングレベルとが所定の時間帯別に対応付けて設定され、第２設定テーブル１３３ｂに登録される。従って、複数の視聴制限規格における視聴制限レベルを個別に設定する代わりに視聴対象を選択することにより一括して設定できることとなって、複数の視聴制限規格における視聴制限レベルの設定に伴うユーザの負担を低減させることができる。
また、ＣＰＵ１３１による設定プログラム１３４ａの実行により、レイティングレベルが時間帯別に設定可能であるので、時間帯毎に視聴制限を行う放送番組を可変に設定できることとなって、ユーザにとって使い勝手の良い放送受信機を提供することができる。
また、ＣＰＵ１３１による視聴制限プログラム１３４ｃの実行により、視聴対象を選択するためのレベルメータが表示部１１に表示され、当該レベルメータのレベル位置をキー入力部１における操作により移動させて視聴対象が選択されるので、設定操作を容易に行えることとなって、操作性の向上を図ることができる。
【００４６】
なお、本発明は、上記実施の形態に限られることなく、本発明の趣旨を逸脱しない範囲において、種々の改良並びに設計の変更を行っても良い。
例えば、本実施形態では、デジタル放送を受信する放送受信機について説明したが、アナログ放送を受信する放送受信機であっても良い。すなわち、レイティングデータは、デジタル放送信号に重畳されて送信されるのではなく、アナログコンポジット信号の垂直帰線消去期間（ＶＢＩ；Vertical Blanking Interval）に重畳されて送信される構成でも良い。
また、例えば、第２設定テーブル１３３ｂの内容を設定する設定手段のみならず、第１設定テーブル１３３ａの内容を設定できる設定手段を備える構成であっても良い。
また、視聴制限手段における放送番組の視聴制限方法は、ミュート回路１０により映像・音声をミュートさせる方法に限られず、チューナ３による当該放送番組の選局を不可能とする方法等であっても良い。
また、記憶手段に記憶されたテーブルは、上記実施の形態で例示した第１設定テーブル１３３ａ、第２設定テーブル１３３ｂに限られない。
また、ＴＶ  Ｐａｒｅｎｔａｌ  Ｇｕｉｄｅｌｉｎｅｓのレイティングデータは、年齢による格付けのみならず、内容による格付けを加えても良い。
【図面の簡単な説明】
【００４７】
【図１】本実施形態におけるテレビジョン受像機の要部構成を例示するブロック図である。
【図２】第１設定テーブルを例示する図である。
【図３】第２設定テーブルを例示する図である。
【図４】ＣＰＵによる設定プログラムの実行に際して、表示部に表示される第２設定テーブル設定画面を例示する図である。
【図５】ＣＰＵによる選択プログラムの実行に際して、表示部に表示されるレイティングレベル選択画面を例示する図であり、図５（ａ）は、レベルメータを用いて視聴対象を選択するレイティングレベル選択画面の表示例、図５（ｂ）は、視聴対象を直接選択するレイティングレベル選択画面の表示例である。
【図６】ＣＰＵによる視聴制限処理を示すフローチャートである。
【図７】従来の放送受信機において、複数の視聴制限規格における視聴制限レベルの設定を行うための設定画面を例示する図であり、図７（ａ）は、ＭＰＡＡ（Motion Picture Association of America）Ｒａｔｉｎｇにおける視聴制限レベルの設定画面の表示例、図７（ｂ）はＴＶ  Ｐａｒｅｎｔａｌ  Ｇｕｉｄｅｌｉｎｅｓにおける視聴制限レベルの設定画面の表示例、図７（ｃ）はＣａｎａｄｉａｎ  Ｅｎｇｌｉｓｈ  Ｌａｎｇｕａｇｅ  Ｒａｔｉｎｇにおける視聴制限レベルと、Ｃａｎａｄｉａｎ  Ｆｒｅｎｃｈ  Ｌａｎｇｕａｇｅ  Ｒａｔｉｎｇにおける視聴制限レベルの設定画面の表示例である。
【符号の説明】
【００４８】
１００    テレビジョン受像機（放送受信機）
１        キー入力部（入力手段）
１０      ミュート回路（視聴制限手段）
１１      表示部（表示手段）
１３１    ＣＰＵ（設定手段、表示制御手段、選択手段、視聴制限手段）
１３３    ＥＥＰＲＯＭ（記憶手段）
１３３ａ  第１設定テーブル（記憶手段）
１３３ｂ  第２設定テーブル（記憶手段）
１３４ａ  設定プログラム（設定手段）
１３４ｂ  選択プログラム（表示制御手段、選択手段）
１３４ｃ  視聴制限プログラム（視聴制限手段）
【図１】
2008005403.tif 000003
【図２】
2008005403.tif 000004
【図３】
2008005403.tif 000005
【図４】
2008005403.tif 000006
【図５】
2008005403.tif 000007
【図６】
2008005403.tif 000008
【図７】
2008005403.tif 000009